(57)【要約】      （修正有）【課題】工事現場においてスピーディーな作業が出来る様に工夫された、工事用万能道具箱を提供する。【解決手段】極力構造を簡単にして、故障がなくスペースのとらない構造とし、ポリエチレン系シート１０をクレモナロープ６で結合して、生ゴム９の伸縮を利用して六角ボルトに固定する工事用万能道具箱である。【選択図】図１４
2004331216.tif 000002
【特許請求の範囲】
【請求項１】
長さ５５０ｍ／ｍ、幅３５０ｍ／ｍ、高さ１５０ｍ／ｍ、工事用万能道具箱の蓋をポリエチレン系シート（幅５５０ｍ／ｍ、長さ４００ｍ／ｍ）を用いたことを特徴とする。
【請求項２】
長さ４５０ｍ／ｍ、幅３００ｍ／ｍ、高さ１５０ｍ／ｍ、工事用万能道具箱の蓋をポリエチレン系シート（幅４５０ｍ／ｍ、長さ３５０ｍ／ｍ）を用いたことを特徴とする。
【請求項３】
長さ３５０ｍ／ｍ、幅３００ｍ／ｍ、高さ１５０ｍ／ｍ、工事用万能道具箱の蓋をポリエチレン系シート（幅３５０ｍ／ｍ、長さ３５０ｍ／ｍ）を用いたことを特徴とする。
【請求項４】
各ポリエチレン系シート蓋の長て方向前後にアルミ穴具（直径２０ｍ／ｍ）を等間隔に４ヶ所ずつ取付けたことを特徴とする。
【請求項５】
各工事用万能道具箱、左側長て方向上部に等間隔に直径１０ｍ／ｍの穴を４ヶ所開け、クレモナロープ（直径５ｍ／ｍ）でポリエチレン系シートを結合させ、開閉元としたことを特徴とする。
【請求項６】
各工事用万能道具箱、右側長て方向上下部にそれぞれ等間隔に４ヶ所ずつ六角ボルト（直径４ｍ／ｍ、長さ１８ｍ／ｍ）を内側より外側に向け挿入して固定したことを特徴とする。
【請求項７】
各ポリエチレン系シートの開閉元とは逆側に生ゴムを取付けて、生ゴムの伸縮を利用して六角ボルトにひっかけて固定することを最大の特徴とする。
【発明の詳細な説明】
【０００１】
【発明の属する技術分野】
発明は建築現場で幅広い業種において、工具、道具、小物等を速やかに収納するための工事用万能道具箱である。
【０００２】
【従来の技術】
従来、道具箱においては、工具入れタイプか大型でスペースを取るようなタイプ、もしくは、組み立て型タイプかに別れていた。
【０００３】
【発明が解決しようとする課題】
従来商品は、大型でスペースを取るタイプ、工具入れタイプで大きな物が収納しにくいタイプといった問題を有している。
【０００４】
また、工具入れタイプにおいては内部が仕切られていたりすることが多く、倒れたり、振動したりしたときには、中身が分散することも問題である。
【０００５】
各メーカーが出している大型タイプについては、現場作業上で色々な問題があり、各職種にそぐわないことが多い。
【０００６】
発明は従来の技術の問題を克服し、工事現場においてスピーディーな作業が出来るように工夫された、工事用万能道具箱を提供するものである。
【０００７】
【課題を克服するための手段】
極力構造を簡単にし、故障が無く手軽に取り扱い出来るようにすることである。
【０００８】
各職種に合うように３タイプあるので、幅広い用途に使えるように工夫してある。
【０００９】
また、ポリエチレン系シートを蓋に用いているので、手軽に収納が出来るようになっている。
【００１０】
請求項（５）で説明してあるように、クレモナロープでポリエチレン系シートを結合させたことで、開閉がスムーズに出来るように工夫してある。
【００１１】
最大の特徴でもある、生ゴムの伸縮を利用して、ポリエチレン系シートを金具に固定することである。
【００１２】
また、ポリエチレン系シートにアルミ穴具を使うことで、シートの破損を極力少なくなるようにしてあります。
【００１３】
発明に用いる工事用万能道具箱の材質は、スチール、アルミ、ステンレス、ポリプロピレン、塩ビ系、が望ましいと思われる。
【００１４】
また、ポリエチレン系シート以外に、エステル系、皮製品、デニム生地などが望ましい。
【００１５】
【発明の実施形態】
発明の実施形態例を図面を参照して説明する。図１に示すように非常にコンパクトでシンプルに製品が完成されている。
【００１６】
請求項（１）、（２）、（３）、で書いてあるように、３タイプあるので、色々な職種に対応できるようになっている。
【００１７】
また図３で書いてあるように、六角ボルトが上下に４本ずつ取付けたことによって、道具が本体より出る場合は、上部ボルトに生ゴムをひっかけ、道具が本体より出ていない場合は下部ボルトに生ゴムをひっかけることも特徴である。
【００１８】
従来、道具箱の蓋と言えば、同質の部材を工夫して取付けてあったが、本発明はトラック荷台シートにヒントを得て、従来の考え方を変える商品に仕上げたことも特徴である。
【００１９】
【発明の効果】
発明を利用することによって、手軽、簡単、整理、といった道具箱本来の機能を１００％みい出すことができる商品になっています。
【００２０】
発明を利用することによって、作業者皆々様の作業効率アップになることを切実に願う次第です。
【００２１】
【特許文献１】
【１１】特許公開
【４３】平成６年３月２２日
【２１】特願平  ５−５０５７１
【４３】平成９年４月  ８日
【２１】特願平  ８−１０３１１８
【４３】平成１０年１２月２２日
【２１】特願平  ９−１８５７０３
【４３】平成１３年６月５日
【２１】特願平  １１−３３６０７３
【４３】平成１４年１１月２６日
【２１】特願  ２００１−１４８７０７
【００２２】
上記
【００２１】に述べてある案件との違いは、思考、用途、形状、作業性において違いがあると思われる。
【図面の簡単な説明】
【図１】発明に係る平面図、レイアウト図である。
【図２】発明に係る請求項１、２、３断面図（Ａ面）である。
【図３】発明に係る請求項１、２、３断面図（Ｂ面）である。
【図４】発明に係る六角ボルト詳細図である。
【図５】発明に係るスプリングワッシャー詳細図である。
【図６】発明に係る六角ナット詳細図である。
【図７】発明に係る六角ボルト貫通図である。
【図８】発明に係る立面図（Ｃ、Ｄ面）である。
【図９】発明に係るポリエチレン系シート平面図である。
【図１０】発明に係るアルミ穴具平面図である。
【図１１】発明に係るクレモナロープ断面図である。
【図１２】発明に係るロープ先端金具である。
【図１３】発明に係る生ゴム平面図である。
【図１４】発明に係る道具箱とポリエチレン系シートの結合図である。
【符号の説明】
１、    取手部
２、    工事用万能道具箱本体
３、    本体１０ｍ／ｍ貫通穴
４、    六角ボルト
５、    アルミ穴具
６、    クレモナロープ
７、    スプリングワッシャー
８、    六角ナット
９、    生ゴム
１０、  ポリエチレン系シート
１１、  クレモナロープ先端金具
【図１】
2004331216.tif 000003
【図２】
2004331216.tif 000004
【図３】
2004331216.tif 000005
【図４】
2004331216.tif 000006
【図５】
2004331216.tif 000007
【図６】
2004331216.tif 000008
【図７】
2004331216.tif 000009
【図８】
2004331216.tif 000010
【図９】
2004331216.tif 000011
【図１０】
2004331216.tif 000012
【図１１】
2004331216.tif 000013
【図１２】
2004331216.tif 000014
【図１３】
2004331216.tif 000015
【図１４】
2004331216.tif 000016
【手続補正書】
【提出日】平成15年7月24日(2003.7.24)
【手続補正１】
【補正対象書類名】明細書
【補正対象項目名】全文
【補正方法】変更
【補正の内容】
【特許請求の範囲】
【請求項１】長さ５５０ｍ／ｍ、幅３５０ｍ／ｍ、高さ１５０ｍ／ｍ、工事用万能道具箱の蓋をポリエチレン系シート（幅５５０ｍ／ｍ、長さ４００ｍ／ｍ）を用いたことを特徴とする。
【請求項２】長さ４５０ｍ／ｍ、幅３００ｍ／ｍ、高さ１５０ｍ／ｍ、工事用万能道具箱の蓋をポリエチレン系シート（幅４５０ｍ／ｍ、長さ３５０ｍ／ｍ）を用いたことを特徴とする。
【請求項３】長さ３５０ｍ／ｍ、幅３００ｍ／ｍ、高さ１５０ｍ／ｍ、工事用万能道具箱の蓋をポリエチレン系シート（幅３５０ｍ／ｍ、長さ３５０ｍ／ｍ）を用いたことを特徴とする。
【請求項４】各ポリエチレン系シート蓋の長て方向前後にアルミ穴具（直径２０ｍ／ｍ）を等間隔に４ヶ所ずつ取付けたことを特徴とする。
【請求項５】各工事用万能道具箱、左側長て方向上部に等間隔に直径１０ｍ／ｍの穴を４ヶ所開け、クレモナロープ（直径５ｍ／ｍ）でポリエチレン系シートを結合させ、開閉元としたことを特徴とする。
【請求項６】各工事用万能道具箱、右側長て方向上下部にそれぞれ等間隔に４ヶ所ずつ六角ボルト（直径４ｍ／ｍ、長さ１８ｍ／ｍ）を内側より外側に向け挿入して固定したことを特徴とする。
【請求項７】各ポリエチレン系シートの開閉元とは逆側に生ゴムを取付けて、生ゴムの伸縮を利用して六角ボルトにひっかけて固定することを最大の特徴とする。
【請求項８】各ポリエチレン系シートの開閉元とは逆側にマジックテープを強力接着剤で本体とポリエチレン系シートに取り付けて蓋を固定することを特徴とする。
【発明の詳細な説明】
【０００１】
【発明の属する技術分野】
発明は建築現場で幅広い業種において、工具、道具、小物等を速やかに収納するための工事用万能道具箱である。
【０００２】
【従来の技術】
従来、道具箱においては、工具入れタイプか大型でスペースを取るようなタイプ、もしくは、組み立て型タイプかに別れていた。
【０００３】
【発明が解決しようとする課題】
従来商品は、大型でスペースを取るタイプ、工具入れタイプで大きな物が収納しにくいタイプといった問題を有している。
【０００４】
また、工具入れタイプにおいては内部が仕切られていたりすることが多く、倒れたり、振動したりしたときには、中身が分散することも問題である。
【０００５】
各メーカーが出している大型タイプについては、現場作業上で色々な問題があり、各職種にそぐわないことが多い。
【０００６】
発明は従来の技術の問題を克服し、工事現場においてスピーディーな作業が出来るように工夫された、工事用万能道具箱を提供するものである。
【０００７】
【課題を克服するための手段】
極力構造を簡単にし、故障が無く手軽に取り扱い出来るようにすることである。
【０００８】
各職種に合うように３タイプあるので、幅広い用途に使えるように工夫してある。
【０００９】
また、ポリエチレン系シートを蓋に用いているので、手軽に収納が出来るようになっている。
【００１０】
請求項（５）で説明してあるように、クレモナロープでポリエチレン系シートを結合させたことで、開閉がスムーズに出来るように工夫してある。
【００１１】
最大の特徴でもある、生ゴムの伸縮を利用して、ポリエチレン系シートを金具に固定することである。
【００１２】
また、開閉元とは逆側にマジックテープを強力接着剤で本体とポリエチレン系シートに取り付けて蓋を固定することである。
【００１３】
また、ポリエチレン系シートにアルミ穴具を使うことで、シートの破損を極力少なくなるようにしてあります。
【００１４】
発明に用いる工事用万能道具箱の材質は、スチール、アルミ、ステンレス、ポリプロピレン、塩ビ系、が望ましいと思われる。
【００１５】
また、ポリエチレン系シート以外に、エステル系、皮製品、デニム生地などが望ましい。
【００１６】
【発明の実施形態】
発明の実施形態例を図面を参照して説明する。図１に示すように非常にコンパクトでシンプルに製品が完成されている。
【００１７】
請求項（１）、（２）、（３）、で書いてあるように、３タイプあるので、色々な職種に対応できるようになっている。【００１８】
また図３で書いてあるように、六角ボルトが上下に４本ずつ取付けたことによって、道具が本体より出る場合は、上部ボルトに生ゴムをひっかけ、道具が本体より出ていない場合は下部ボルトに生ゴムをひっかけることも特徴である。
【００１９】
従来、道具箱の蓋と言えば、同質の部材を工夫して取付けてあったが、本発明はトラック荷台シートにヒントを得て、従来の考え方を変える商品に仕上げたことも特徴である。
【００２０】
【発明の効果】
発明を利用することによって、手軽、簡単、整理、といった道具箱本来の機能を１００％みい出すことができる商品になっています。
【００２１】
発明を利用することによって、作業者皆々様の作業効率アップになることを切実に願う次第です。
【００２２】
【特許文献１】
【１１】特許公開
【４３】平成６年３月２２日
【２１】特願平  ５−５０５７１
【４３】平成９年４月  ８日
【２１】特願平  ８−１０３１１８
【４３】平成１０年１２月２２日
【２１】特願平  ９−１８５７０３
【４３】平成１３年６月５日
【２１】特願平  １１−３３６０７３
【４３】平成１４年１１月２６日
【２１】特願  ２００１−１４８７０７
【００２３】
上記【００２２】に述べてある案件との違いは、思考、用途、形状、作業性において違いがあると思われる。
【図面の簡単な説明】
【図１】発明に係る平面図、レイアウト図である。
【図２】発明に係る請求項１、２、３断面図（Ａ面）である。
【図３】発明に係る請求項１、２、３断面図（Ｂ面）である。
【図４】発明に係る六角ボルト詳細図である。
【図５】発明に係るスプリングワッシャー詳細図である。
【図６】発明に係る六角ナット詳細図である。
【図７】発明に係る六角ボルト貫通図である。
【図８】発明に係る立面図（Ｃ、Ｄ面）である。
【図９】発明に係るポリエチレン系シート平面図である。
【図１０】発明に係るアルミ穴具平面図である。
【図１１】発明に係るクレモナロープ断面図である。
【図１２】発明に係るロープ先端金具である。
【図１３】発明に係る生ゴム平面図である。
【図１４】発明に係る道具箱とポリエチレン系シートの結合図である。
【図１５】発明に係るマジックテープ取付図である。
【符号の説明】
１、  取手部
２、  工事用万能道具箱本体
３、  本体１０ｍ／ｍ貫通穴
４、  六角ボルト
５、  アルミ穴具
６、  クレモナロープ
７、  スプリングワッシャー
８、  六角ナット
９、  生ゴム
１０、ポリエチレン系シート
１１、クレモナロープ先端金具
１２、マジックテープ


【手続補正２】
【補正対象書類名】図面
【補正対象項目名】全図
【補正方法】変更
【補正の内容】
【図１】
2004331216.tif 000017
【図２】
2004331216.tif 000018
【図３】
2004331216.tif 000019
【図４】
2004331216.tif 000020
【図５】
2004331216.tif 000021
【図６】
2004331216.tif 000022
【図７】
2004331216.tif 000023
【図８】
2004331216.tif 000024
【図９】
2004331216.tif 000025
【図１０】
2004331216.tif 000026
【図１１】
2004331216.tif 000027
【図１２】
2004331216.tif 000028
【図１３】
2004331216.tif 000029
【図１４】
2004331216.tif 000030
【図１５】
2004331216.tif 000031